(57)【要約】【課題】  マイクロ波検出器の動作設定条件を自動的に切り替えることのできるマイクロ波検出器を提供すること【解決手段】  所定の動作設定条件に基づいてマイクロ波を検出するとともに警報出力をするマイクロ波検出器本体２と、車両の現在位置並びに移動方向を求めるＧＰＳ受信部３と、そのＧＰＳ受信部で求めた現在位置と移動方向が、過去の移動実績にともない登録したものと一致するか否かを判断し、一致する場合には、その動作設定条件を読み出すとともに、マイクロ波検出器本体の動作設定条件を切り替える動作設定制御部５を設けた。これにより、過去に移動したルートと同一ルートを通った場合には、場所場所で自動的にその時に使用した動作設定条件に切り替わるので、運転に集中できる。【選択図】        図１
2005070062.tif 000002
【特許請求の範囲】
【請求項１】
所定の動作設定条件に基づいてマイクロ波を検出するとともに警報出力をするマイクロ波検出器本体と、
車両の現在位置を求める位置検出手段と、
前記位置検出手段で求めた現在位置に基づいて、前記動作設定条件を変更する動作設定制御手段を備えたことを特徴とするマイクロ波検出器。
【請求項２】
車両の移動方向を判定する方向判定手段を備え、
前記動作設定制御手段は、現在位置と移動方向に基づいて前記動作設定条件の変更を行うようにしたことを特徴とする請求項１に記載のマイクロ波検出器。
【請求項３】
所定の動作設定条件に基づいてマイクロ波を検出するとともに警報出力をするマイクロ波検出器本体と、
車両の現在位置を求める位置検出手段と、
前記位置検出手段で求めた現在位置に基づいて、前記動作設定条件を変更する動作設定制御手段と、
一定の領域と、その領域における動作設定条件を関連付けて記憶する領域情報記憶手段を備え、
前記動作設定条件は、領域におけるマイクロ波の受信感度であり、
前記動作設定制御手段は、取得した現在位置に基づいて前記領域情報記憶手段をアクセスし、記憶された領域内に位置する場合に、その領域に対応付けられた前記マイクロ波の受信感度に切り替えるようにしたことを特徴とするマイクロ波検出器。
【請求項４】
一定の領域を記憶する領域記憶手段を備え、
取得した現在位置に基づいて前記領域記憶手段をアクセスし、記憶された領域内に位置する場合に、警報を出力する機能を備えた請求項１〜３のいずれか１項に記載のマイクロ波検出器。
【請求項５】
前記位置検出手段の出力から車速を算出する手段を備え、
前記動作設定制御手段は、算出した車速に応じて動作設定条件を切り替える機能を備えたことを特徴とする請求項１〜４のいずれか１項に記載のマイクロ波検出器。
【発明の詳細な説明】
【技術分野】
【０００１】
本発明は、マイクロ波検出器に関するもので、より具体的には受信感度の設定及び受信したマイクロ波に基づく警報パターンを変更するための構造の改良に関する。
【背景技術】
【０００２】
近年、車両の速度を測定するための自動速度測定装置が路上周辺等に多数設置されるようになっている。自動速度測定装置の一例を示すと、所定周波数帯域のマイクロ波を車両に向けて発射し、その反射波を受信して車両の走行スピードを測定するようになっている。
【０００３】
一方、係る自動速度測定装置の存在を検出するため、その自動速度測定装置から発射されたマイクロ波を検出して警報を出力するように構成されたマイクロ波検出器が従来から知られている。
【０００４】
ところで、自動速度測定装置から出射されるマイクロ波の周波数は、自動ドアにおける人体検知センサが出力するマイクロ波と同じ周波数帯域が用いられている。従って、街中を走行する際にマイクロ波検出器を作動させていると、その人体検知センサから出力されるマイクロ波に反応して誤警報が出力されてしまうことが有る。
【０００５】
このような誤警報が頻繁に出力されると、耳障りであったり、逆に運転者が、警報に慣れてしまい、せっかく検出対象の自動速度測定装置からのマイクロ波に基づいて警報が発せられても誤警報と判断してしまうおそれがある。
【０００６】
そこで、係る問題発生を抑制するため、例えばマイクロ波検出器の受信感度を変更し、街中などを走行中は受信感度を低く設定して人体検知センサなどに反応し難くし、郊外や高速道路などを走行中は受信感度を上げて確実に自動速度測定装置からのマイクロ波を検出し、警報を発することができるようにしている。
【０００７】
さらに、高速道路などでは、単位時間当たりの移動距離が長いので、できるだけ早い時期（遠い位置）から自動速度測定装置の存在を検出したいという要求があり、また、街中は、信号での停止その他の理由から、さほど高速度で走行することが少なく、自動速度測定装置の存在を検出できなくても問題が無いこともある。このような理由から、受信感度の設定を変えたいという要求もある。
【０００８】
具体的な受信感度の変更手順としては、マイクロ波検出器をボタン操作して、予め設定されているいずれかの受信感度を選択するのが一般的である。
【０００９】
また、自動速度測定装置が設置されている場所や、重点的に配備されている地域、或いは、車両の速度を測定するための速度測定装置を積んだ車両が頻繁に現れる地域等の情報が雑誌やその他の情報媒体によって紹介されている。従って、該当する地域を走行するときには、受信感度を高くすることにより、確実にその自動速度測定装置等の存在を検出することができる。
【発明の開示】
【発明が解決しようとする課題】
【００１０】
しかし、走行する地域や走行ルート等に応じて、毎回マイクロ波検出器の受信感度の設定を変更するのは面倒であり、変更するのを忘れて走行してしまう場合もあり得る。さらに、誤った選択をしてしまうと検出対象とするマイクロ波を上手く検出できない。
【００１１】
さらに、運転しながら受信感度等の設定を切り替えるのは危険であるので、一時停止した状態で設定の切り替えを行うことになるが、そのように一時停止することは煩雑であるばかりでなく、かえってスムーズな車両走行の妨げとなり好ましくないということもある。
【００１２】
本発明は、上記した背景に鑑みてなされたもので、その目的とするところは、上記した問題を解決し、車両の存在位置や、走行方向その他の走行状態に基づいて自動的に受信感度等の状態設定を変更することができ、運転者が希望する条件下で警報出力ができ、さらに、安全運転に寄与することもできるマイクロ波検出器を提供することにある。
【課題を解決するための手段】
【００１３】
上記した目的を達成するために、本発明に係るマイクロ波検出器では、所定の動作設定条件に基づいてマイクロ波を検出するとともに警報出力をするマイクロ波検出器本体と、車両の現在位置を求める位置検出手段と、前記位置検出手段で求めた現在位置に基づいて、前記動作設定条件を変更する動作設定制御手段を備えて構成した（請求項１）。
【００１４】
例えば、ある領域・位置における動作設定条件を登録すると、位置検出手段がその場所に移動してきたことを検知すると、動作設定制御手段が自動的にその位置に合った動作設定条件に切り替える。よって、運転者はいちいち動作設定条件の切り替え処理を行う必要が無く、運転に集中できる。しかも、切り替え忘れなども無く、その位置にとって適した動作設定条件に切り替わるので、効果的なマイクロ波検出並びにそれに伴なう警報出力ができる。
【００１５】
そして、車両の移動方向を判定する方向判定手段を備え、前記動作設定制御手段は、現在位置と移動方向に基づいて前記動作設定条件の変更を行うようにするとよい（請求項２）。
【００１６】
上記した発明（請求項２）を前提とし、設定指令を受けた際の存在位置と移動方向と動作設定条件を関連付けて記憶する記憶手段を備え、前記動作設定制御手段は、前記位置検出手段並びに前記方向判定手段からの出力に基づき、車両の現在位置とその移動方向を求め、それが前記記憶手段に格納した存在位置と移動方向と一致した場合に、前記マイクロ波検出器本体の動作設定条件を、前記記憶手段に格納した動作設定条件に切り替える機能を有し（第１要件）、さらに、動作設定条件を切り替えた際に、切り替える前の動作設定条件を記憶し、前記位置検出手段並びに前記方向判定手段からの出力に基づき、車両の現在位置とその移動方向を求め、それが前記記憶手段に格納した存在位置と一致し、移動方向が反対方向の場合に、前記マイクロ波検出器本体の動作設定条件を、前記記憶した前記切り替える前の動作設定条件に設定する機能（第２要件）を備えるようにするとよい。
【００１７】
すなわち、ある一定のルートで移動することが多い場合、存在位置と移動方向から特定の道路を移動中であることがわかる。一例を示すと、インターチェンジから高速道路内に進入した場合などがある（その逆もある）。この場合に、高速道路内を走行中の場合には、受信感度を高くしたいという要求がある。そして、本発明では、現在位置と移動方向から高速道路に進入したと判断した場合に自動的に受信感度が高い動作設定条件に切り替えることができる。よって、インターチェンジの直前／直後等で一旦停車して感度を切り替えたり、同乗者に切り替えを頼む必要が無く、スムーズな走行が可能となる。
【００１８】
さらに、登録した位置と同じで移動方向が逆の場合には、動作設定条件を元に戻す。つまり、上述した第１要件では、ある位置を所定方向に移動した際に動作設定条件を切り替えたが、第２要件のように、この切り替える前の動作設定条件を覚えておくと、切り替えた地点と同一位置で逆方向に移動したということは、その移動方向に走行する場合の動作設定条件は、覚えていたものを用いるのが好ましいと言える。そこで、その位置における切り替える前の動作設定条件に戻すことにより、元に戻す作業を人手によらず、自動的な切り替えを可能とした。
【００１９】
この発明の利用態様としては、例えば、上記した高速道路とインターチェンジとの関係で言えば、高速道路に進入する位置で、かつ、高速道路へ進入方向と逆方向に移動している場合には、高速道路から一般道路に向かっていると言える。そこで、高速道路に入る前の動作設定条件に切り替えることにより、街中に適した動作設定条件に自動的に切り替わることができる。
【００２０】
また、一定の領域と、その領域における動作設定条件を関連付けて記憶する領域情報記憶手段を備え、前記動作設定制御手段は、取得した現在位置に基づいて前記領域情報記憶手段をアクセスし、記憶された領域内に位置する場合に、その領域に対応付けられた動作設定条件に切り替えるようにしてもよい。この領域は、使用者が、マイクロ波検出器に設けられた操作ボタン等を操作して行うようにしても良いし、各種記録媒体等を介して供給するようにしても良い。また、入力は、現在位置を基準に行っても良いし、地図データ等があればそれに基づいて領域を設定することもできる。
【００２１】
このようにすると、例えば、自動速度測定装置が多数設置されている領域や、郊外に移動する場合や、見知らぬ（余り詳しくない）土地を走行するような場合には、受信感度を高くし、確実にマイクロ波の発信源があることを検出し、警報することができる。
【００２２】
さらに、一定の領域を記憶する領域記憶手段を備え、取得した現在位置に基づいて前記領域記憶手段をアクセスし、記憶された領域内に位置する場合に、警報を出力する機能を備えるとよい。
【００２３】
さらにまた、前記位置検出手段の出力から車速を算出する手段を備え、前記動作設定制御手段は、算出した車速に応じて動作設定条件を切り替える機能を備えるとなおよい。
【００２４】
例えば車速が速い場合には、警報ダウンを抑制し、位置検出手段の出力に基づいて車速を求めると、車速を高精度に算出でき（２地点間を移動するのにかかった時間，単位時間当たりに移動する距離などから算出する）、しかも、別途速度算出のためのセンサ等の設置並びにメンテナンスが不要となるメリットもある。
【発明の効果】
【００２５】
以上のように、本発明に係るマイクロ波検出器では、車両の位置情報を基に、走行状態を調べてその走行状態用に設定された動作設定条件に自動的に切り替わるので、運転者は運転に集中できるので好ましい。
【発明を実施するための最良の形態】
【００２６】
以下、本発明に係るマイクロ波検出器の第１の実施の形態を説明する。本発明は、車両の速度を測定するための速度測定装置から発射される所定周波数帯域のマイクロ波を検出するとともに警報するために、車両に搭載して用いる装置である。
【００２７】
図１は、係るマイクロ波検出器１の要部の構成を示すブロック回路図である。同図に示すように、マイクロ波検出器１は、設定された動作設定条件に基づき、所定周波数帯域のマイクロ波を検出し、警報出力するマイクロ波検出器本体２と、ＧＰＳ情報を取得するＧＰＳ受信部３と、ＧＰＳ受信部３の出力に基づいて、マイクロ波検出器本体２の動作設定条件を決定するとともに、決定した動作設定の実効命令をマイクロ波検出器本体２に与える動作設定制御部５と、前記動作設定制御部５に対し、設定指令や、動作設定条件等を通知する指示入力部６とを備えている。
【００２８】
マイクロ波検出器本体２は、ホーンアンテナ２ａを介して捕捉したマイクロ波に基づく受信信号をマイクロ波受信部２ｂに与え、そこにおいて所望の周波数のマイクロ波を検波し、検波信号を出力する。この検波信号を受信判定部２ｃに与え、目的のマイクロ波を受信したか否かを判断する。さらに、マイクロ波受信部２ｂには、Ｓメータ出力端子を備え、その出力端子から出力される受信信号強度を受信強度判定部２ｄに与え、そこにおいてしきい値処理され、受信強度が一定以上か否かが判断される。
【００２９】
そして、それら受信判定部２ｃ並びに受信強度判定部２ｄの判定結果が判定部２ｅに与えられ、そこにおいて検出対象の真のマイクロ波を受信したか否かを判断する。この判断は、例えばＡＮＤ処理、つまり、受信判定部２ｃで所定周波数のマイクロ波が受信され、さらに受信強度判定部２ｄで一定基準以上の受信強度の信号が受信された場合に真のマイクロ波と判断することができる。なお、判定手法はこれに限ることは無く、各種のものを用いることができるのは言うまでも無い。そして、その判定手法に対応して受信判定部２ｃや受信強度判定部２ｄの機能を適宜変更してもよい。
【００３０】
さらに判定部２ｅで真のマイクロ波を検出したと判断した場合には、検出信号を警報器２ｆに与え、所定の警報を出力する。この警報は、ブザーや音声であったり、ライトＬＥＤ等のランプや表示器など各種の対応のものが採れる。
【００３１】
なお、マイクロ波受信部２ｂは、例えば、受信信号と局部発振器の出力とをミキサで周波数混合し、得られた中間周波信号を検波器に入力し、所定周波数の信号を検波するスーパーヘテロダイン方式により実現できる。また、マイクロ波検出器本体２を構成する各処理部は、いずれも従来のマイクロ波検出器において用いられている一般的な構成と同様であるので、その詳細な説明は省略する。
【００３２】
ＧＰＳ受信部３は、地球位置計測衛星から出射されるＧＰＳ信号を受信し、車両の現在位置を測定し、測定された位置を基に走行スピードと進行方向を求められるようになっている。具体的には、受信アンテナ３ａ，ＧＰＳ受信器３ｂにて、複数の衛星から発せられるＧＰＳ信号を受信し、その受信したことを位置情報算出部３ｃに与え、そこにおいて受信情報に基づいて現在位置（経度，緯度情報）を算出する。
【００３３】
この算出した現在の位置情報は、動作設定制御部５と、車速判定部３ｄ並びに進行方向判定部３ｅに与えられる。車速判定部３ｄは、例えばある時点における位置情報と、単位時間経過後の位置情報から、単位時間当たりの移動距離を求め、そこから車速を算出することができる。同様に、進行方向判定部３ｅは、ある時点の位置情報と一定時間後の位置情報から移動ベクトルを求めることにより移動方向を求めることができる。
【００３４】
上記のように、車速や移動方向を判定する場合、例えば、２つのメモリを用意し、一方には測定時点の位置情報を記憶させ、他方には測定時点から一定時間後（例えば２秒後等）の位置情報を記憶させることにより、２つの位置情報から車速や車両の進行方向が判定できる。
【００３５】
また、上記の判定であるが、車速並びに進行方向の判定は、一定のサンプリング間隔で実行することになる。さらに、進行方向は、指示入力部６から与えられる設定指令が与えられたときに行うことになる。
【００３６】
なお、進行方向の判定は、上記したように位置情報算出部３ｃで求められた位置情報を用いず、例えば、ジャイロ，コンパスを用いたり、加速度センサ（複数の方向を求めることが可能なセンサや、検出方向が一方向の場合には、複数後のセンサ）により求めることもできる。
【００３７】
また、動作設定制御部５は、マイクロ波検出器本体２の動作設定条件を設定するもので、指示入力部６から与えられた動作設定条件をそのまま設定する機能と、位置情報算出部３ｃ並びに進行方向判定部３ｅの出力に基づいて動作設定条件を自動的に切り替える機能を有している。
【００３８】
この機能を簡単に説明すると、指示入力部６から設定指令が与えられると、そのときの、位置情報と移動方向を取得し、メモリに格納する。そして、以後は、ＧＰＳ受信部３から送られる位置情報と進行方向を取得するとともに、その取得した位置情報と進行方向と一致するものがあるか否かをサーチし、一致する場合には、それに関連付けられた設定条件を読み出し、マイクロ波検出器本体２に設定する。そして、具体的には、以下の通りである。
【００３９】
図２に示すように、まず、指示入力部６には、マイクロ波検出器１の装置表面に設けた設定指令入力スイッチ６ａと、動作設定するための設定条件を入力する条件入力スイッチ６ｂを備えている。
【００４０】
条件入力スイッチ６ｂは、マイクロ波検出器本体２の動作設定条件をマニュアルで設定するためのもので、受信感度，警報種別（ブザー，音声，ＬＥＤのみ等），音量がある。そして、各条件を入力するのは、それぞれ別個のスイッチからなっていても良い。また、感度，音量などは、予め設定された複数レベルの中からセレクトボタンなどにより択一的に選択するようにしても良いし、無段階で変更できるようにしてもよい。
【００４１】
そして、係る条件入力スイッチ６ｂを介して入力された設定条件は、動作設定制御部５の処理部７の書込部７ａに渡され、その書込部７ａがメモリ８内の設定条件記憶部８ａに格納する。この設定条件記憶部８ａは、現在の動作設定条件を記憶するもので、基本的に条件入力スイッチ６ｂを操作してこの設定条件記憶部８ａが更新されたならば、読出部７ｂは、その更新内容を読み出すとともに、読み出した内容を設定指令部７ｃに渡し、設定指令部７ｃがマイクロ波受信器本体２に動作設定条件の切り替え命令を送る。
【００４２】
この命令を受けて、マイクロ波検出器本体２は、受信感度を増減したり、警報種別や音量の調整を行うことになる。これがマニュアル入力に伴なう動作設定条件の変更処理である。なお、マイクロ波検出器本体２側での切り替え操作は、従来と同様であるので、その詳細な説明を省略する。
【００４３】
また、指示入力部６の設定指令入力スイッチ６ａが押下された場合には、その押下されたことを動作設定制御部５の制御部９が認識し、制御部９は、スイッチが押下されたこと、つまり、設定指令が発せられたことを処理部７に伝える。すると、処理部７（設定指令部７ｃ）は、ＧＰＳ受信部３からそのときの位置情報と進行方向情報を取得し、設定条件記憶部８ａに記憶された現在の動作設定条件を読み出し、それら３つの情報を関連付けてメモリ８内の設定状態記憶部８ｂに格納する。
【００４４】
さらに、処理部７（設定指令部７ｃ）は、ＧＰＳ受信部３から出力される位置情報と進行方向情報と車速情報を所定のサンプリング間隔で取得し、以下の処理をする。つまり、車速情報に基づいては、その車速が一定の速度（例えば８０ｋｍのように高速道路を走行していると予想できる速度）よりも早くなった場合には、受信感度を高くする。逆に、上記とは別の一定の速度（例えば４０ｋｍや３０ｋｍなどの街中や渋滞中を走行していると予測できる速度）の場合には、感度を低くしたり、警報出力をしないようにする，ＬＥＤのみの点灯等の動作設定条件を切り替えることになる。
【００４５】
また、位置情報と移動方向情報に基づいては、設定状態記憶部８ｂをアクセスし、「（１）２つの情報が一致する設定状態が有るか否か」と、「（２）位置情報が一致し移動方向情報が逆方向の設定状態が有るか否か」を判断する。
【００４６】
そして、（１）の条件が合致したならば、その条件に合致する設定状態記憶部８ｂに格納された設定条件を読み出すとともに、その設定条件で動作すべくマイクロ波受信器本体２の動作設定条件を切り替える。
【００４７】
また、（２）の条件が合致したならば、切り替え前の動作設定条件に戻す。つまり、設定条件記憶部８ａに記憶された動作設定条件を読み出し、マイクロ波受信器本体２の動作設定条件を、その読み出した動作設定条件に切り替える。なお、この（２）の条件に基づく処理は、特に設けなくても良い。また、条件（２）は、「移動方向が反対」とするのではなく、（２）′「移動方向が異なる」としても良い。
【００４８】
次に、実際の適用例について説明する。図３は、本実施の形態を搭載した車両が一般道路ａより高速道路ｂに入り、一般道路ｃから高速道路ｂを降りるまでのルートを示したものである。
【００４９】
高速道路ｂは、一般道路路ａ，ｃに比べて高速度で走行しているため、単位時間当たりの移動距離も長く、できるだけ遠い位置から自動速度測定装置の存在を検出したい。また、一般に高速道路は他の道路等から隔離されているため、市街地での走行のように自動速度測定装置が発射するマイクロ波と誤認識するマイクロ波が飛来している可能性が少ない。そこで、一般道路ａ，ｃでの走行よりも高速道路ｂでの走行中の受信感度は高くすることになる。従って、高速道路ｂに入る地点Ａか、それよりも前の地点でマイクロ波検出器本体２の検出感度を高く設定することになる。この場合、従来であると、その都度条件入力スイッチ６ｂを操作して切り替えることになるが、本発明では、以下に示す手順により自動切り替えが可能となる。
【００５０】
まず、一般道路ａから高速道路ｂへ乗り入れるまでの適当な位置で条件入力スイッチ６ｂを操作して高速道路ｂを走行するのに適した設定条件を入力し、セットする。これにより、設定条件記憶部８ａは高速道路を走行するのに適した設定条件が格納され、マイクロ波検出器本体２の動作設定も係る条件にセットされる。
【００５１】
次いで、高速道路ｂに進入した地点Ａのときに、設定指令入力スイッチ６ａを押下する。すると、その地点Ａの位置情報（例えば「緯度，経度」により特定）と、その地点Ａにおける移動方向（例えば「東」）と、設定条件記憶部８ａに格納された設定条件が関連付けて設定状態記憶部８ｂに格納される。
【００５２】
従って、その後、一般道路ａから高速道路ｂに進入した場合には、地点Ａを通過する際に、「位置がＡで移動方向が東」と検出されるため、設定状態記憶部８ｂに格納された高速道路に適した動作設定条件が読み出され、自動的にセットされる。
【００５３】
同様のことは、高速道路ｂから地点Ｂにて一般道路ｃに降りる場合にも言える。つまり、一般道路の場合には、通常受信感度は低くしたり、警報を替えたり音量を替えたりする。そこで、地点Ｂに至る前の地点で、条件入力スイッチ６ｂを操作して一般道路ｃに適した設定条件を登録し、地点Ｂにおいて設定指令入力スイッチ６ａを押下する。これにより、以後、高速道路Ｂから一般道路ｃに移動する際には、自動的に動作設定条件が一般道路ｃに適したものとなる。
【００５４】
また、上記のようにして一度地点Ａと地点Ｂで設定指令をセットすると、以後同一方向（同一ルート）に移動する場合には、その移動先で適した動作設定条件に自動的に切り替わることができ、運転者は運転に集中できるので安全運転にも貢献できる。
【００５５】
さらに、上記した条件（２）或いはその変形例である条件（２）′の機能を持っている場合には、セットしたのと逆ルートの場合（指示入力部６からの操作はしない）にも自動的に動作設定条件を切り替えることができる。
【００５６】
すなわち、条件（２）′では、位置が同じで方向が異なる場合には、切り替える前の動作設定条件に戻すことになっている。従って、例えば高速道路ｂを走行中の動作設定条件をマニュアルで設定し、地点Ｂを経由して一般道路ｃに移動した際に、地点Ｂを通過時に一般道路ｃ用の動作設定条件に自動的に切り替わったとする。
【００５７】
その後、逆ルートを進み、一般道路ｃから高速道路ｂに進入した際に、地点Ｂを通過すると、位置が一致し移動方向（西）が異なる（北東ではない）ので、自動的に切り替わる前の設定条件記憶部８ａに記憶された内容、つまり、高速道路用の動作設定条件に自動的に切り替わる。このように、一方のルートを登録することにより、逆ルートも自動的に切り替えることができる。
【００５８】
また、条件（２）とすると、進行方向は逆向きではないので、係る自動切り替えはできないが、この場合も、例えば地点Ａ，Ｂの位置を、高速道路に合流する前に設定することにより、対応できる。
【００５９】
さらに、上記した方式では、例えば、図３に示すように地点Ａ，Ｂの２つの位置で自動的に切り替えるようにした場合には、設定条件記憶部８ａには一般道路ａ用の動作設定条件が格納される（地点Ａ，Ｂでいずれも自動的に切り替えた場合）ことがあり、その場合に逆ルートを通り一般道路ｃと高速道路ｂに進入してきて地点Ｂに至ると、本来は高速道路ｂ用の動作設定条件にしなければならないところ、一般道路ａ用のものがセットされるおそれが有る。
【００６０】
そこで、設定状態記憶部８ｂのデータ構造を図４に示すように「設定条件」，「位置情報」，「進行方向情報」に加え、「切り替え前の設定条件」を関連付けて格納するようにし、逆方向或いは異なる方向と判断した場合には、「切り替え前の設定条件」を読み出し、それに基づいてマイクロ波検出器本体２の動作設定条件を切り替えるようにしても良い。なお、この「切り替え前の設定条件」は、位置情報と移動方向が一致して、設定条件の自動切り替えが行われた際に、その切り替え前にマイクロ波受信器本体２で設定されていた動作設定条件を当該記憶領域に格納することにより実現できる。
【００６１】
図５は、本発明に係るマイクロ波検出器の第２の実施の形態を示している。本実施の形態では、ある領域を設定し、車両が領域内，或いは領域外に位置した時に動作設定条件を切り替えるようにしたものである。
【００６２】
具体的には、図５に示すように、マイクロ波検出器１は、メモリ８に、地図情報記憶部８ｃが設けられている。この地図情報は、本発明では、目標となるランドマークその他の目印・基準となる家屋・位置が特定できれば良いので、別途用意するのがメモリ容量の点からも好ましい。この地図情報は、予め製品内に格納していても良いし、各種記録メディアを着脱自在に装着する機能を付加し、係る記録メディアに地図情報を格納し、それを装着することにより、最新の情報を利用可能にするのが好ましい。
【００６３】
また、指示入力部６は、条件入力スイッチ６ｂと、領域情報入力スイッチ６ｃを備えている。条件入力スイッチ６ｂは、上記した第１の実施の形態と同様に、動作設定条件を入力するものである。
【００６４】
領域情報入力スイッチ６ｃは、ある動作設定条件にする領域を指定するもので、例えば、上記した地図情報を利用し、地図情報中の電話番号や住所により特定の家屋（例えば自宅）を指定し（地点情報）、それを基準として半径ｒｍの領域（範囲情報）としたり、その地点情報を基準として東西南北にそれぞれ何ｋｍまでの領域（範囲情報）を指定する。
【００６５】
この指定のイメージとしては、図６のようになる。また、地図情報がない場合には、現在の車両の位置を基準に範囲を設定することになる。なおまた、この領域の設定は、上記した指定範囲内を対象領域とする場合と、指定範囲外を対象領域とする場合の何れも有る。
【００６６】
さらに、条件入力スイッチ６ｂを操作し、上記設定した領域内における設定条件を入力する。すると、処理部７は、受け取った領域（範囲情報）と、その時の設定条件を関連付けて、設定状態記憶部８ｂに登録する。
【００６７】
なお、領域情報入力スイッチ６ｃは、例えば、地図情報無しの場合には、地点情報は、あるボタンを押すとそのときの位置情報を取得することにより行え、範囲情報は、基準距離を設定しておき、操作ボタンを押した数だけ距離が長くなるようにすると、特にモニタなどを設けることなく対応でき、小型に形成できる。また、地図情報の場合でも、電話番号による特定（その電話番号が引き込まれた家屋を基準地点とする）の場合には、テンキーがあれば済む。
【００６８】
また、モニタを設け、地図情報をモニタ上に出力表示した場合には、例えばモニタにタッチパネルを設け、モニタ画面上を接触することにより、範囲情報を指定することもできる。この指定の仕方は、基準地点を指定し、そこを基準に領域を設定する場合と、いきなり範囲のみ指定する場合の何れも採り得る。
【００６９】
これにより、実際に走行中において、一定のサンプリング間隔で処理部７が、ＧＰＳ受信部３から出力される車速情報と位置情報を取得し、速度情報に基づいては第１の実施の形態と同様に処理し、位置情報に基づいては現在位置が設定状態記憶部８ｂに格納された範囲情報で特定される領域内に有るか否かを判断し、領域内の場合には、関連付けられた設定条件を読み出すとともに、それに切り替える。
【００７０】
このようにすると、例えば自宅の周辺では、どの場所に何が有るか良く知っているので受信感度は低くても良いが、知らない場所や郊外の場合には、受信感度を高くしたい等の要求が有ると、基準地点を自宅にし、郊外となる領域を指定するとともに、受信感度を高感度にすることにより、自動的に動作設定条件の変更ができる。さらにまた、設定条件と位置情報の入力の仕方によっては、位置（領域，範囲）情報として誤警報が発する場所を予め指定し、設定条件として「警報出力をしない」や「判定しない（受信感度を０にする）」等にすることにより、誤警報を発しないようにすることもできる。
【００７１】
なお、本発明においても、条件入力スイッチ６ｂを介して設定された通常の動作設定条件は、設定条件記憶部８ａに格納されているので、現在位置が設定状態記憶部８ｂに格納されたいずれの範囲情報の領域内に該当しない場合には、設定条件記憶部８ａに記憶された動作設定条件に戻すようにすると良い。なおその他の構成並びに作用効果は、上記した第１の実施の形態と同様であるので、対応する部材に同一符号を付し、その詳細な説明を省略する。
【００７２】
図７は、第３の実施の形態を示している。本実施の形態は第２の実施の形態を基本とし、位置情報に基づく警報機能を付加している。すなわち、警報を発したい対象物が存在する位置或いは領域（本実施の形態では何れも「位置情報」としている）を位置情報記憶部８ｄに記憶保持させる。
【００７３】
そして、走行中に、上記位置情報記憶部８ｄに格納された位置（領域内）に来たならば、警報駆動指令部７ｄがそれを検知し、マイクロ波の検出の有無とは関係なく、警報器１０を操作して所定の警報を出力するようにしている。
【００７４】
なお、この警報器１０は、マイクロ波検出器本体２内の警報器２ｆと兼用してももちろん良い。また、この位置情報は、上記した地図情報と同様に、予め記憶させておいても良いし、記録メディア（ＲＯＭ，ＲＡＭを含む）の交換を可能とし、最新のデータに順次切り替えるようにするとなお良い。
【００７５】
なおまた、その他の構成並びに作用効果は、上記した第２の実施の形態と同様であるので、対応する部材に同一符号を付し、その詳細な説明を省略する。さらに、この実施の形態の要部は、第１の実施の形態にも適用できるのはもちろんである。
【００７６】
図８は、第４の実施の形態を示している。本実施の形態は、第１の実施の形態を基本とし、特定位置で警報を出力しないキャンセル機能を組み込んでいる。具体的には、指示入力部６にキャンセルスイッチ６ｄを設け、処理部７は、そのキャンセルスイッチ６ｄが押下されたときの位置情報を位置情報算出部３ｃから取得するとともに、キャンセル位置情報記憶部８ｅに格納する。このとき、取得した位置情報をそのまま記憶しても良いし、その位置情報を中心に所定の範囲を設定しても良い。
【００７７】
そして、以後、位置情報算出部３ｃから送られる現在位置情報が、キャンセル位置情報に合致すると、マイクロ波の受信の有無にかかわらず警報を出力しないようにする。このようにすると、一度マイクロ波検出器本体２がマイクロ波を受信して警報を出力した場合に、それが語警報と分かった場合には、その時キャンセルスイッチ６ｄを押下すると、以後同一場所を通過しても警報がならないようにすることができる。
【００７８】
もちろん、このキャンセル機能は、第１の実施の形態を基本とせず、他の実施の形態と組み合わせても良いし、キャンセル機能単体で実現しても良い。なお、その他の構成並びに作用効果は、上記した各実施の形態と同様であるで、対応する部材に同一符号を付し、その詳細な説明を省略する。
【００７９】
なお、上記した各実施の形態では、何れも速度情報に基づく動作設定条件の切り替え処理を行っているが、係る機能は必ずしも無くても良い。
【図面の簡単な説明】
【００８０】
【図１】本発明に係るマイクロ波検出器の第１の実施の形態を示すブロック回路図である。
【図２】要部を示す内部構造図である。
【図３】本発明に係るマイクロ波検出器の第１の実施の形態の使用例を説明するための図である。
【図４】変形例を示す図である。
【図５】本発明に係るマイクロ波検出器の第２の実施の形態の要部を示す内部構造図である。
【図６】本発明に係るマイクロ波検出器の第２の実施の形態の使用例を説明するための図である。
【図７】本発明に係るマイクロ波検出器の第３の実施の形態の要部を示す内部構造図である。
【図８】本発明に係るマイクロ波検出器の第４の実施の形態の要部を示す内部構造図である。
【符号の説明】
【００８１】
１  マイクロ波検出器
２  マイクロ波検出器本体
２ａ  ホーンアンテナ
２ｂ  マイクロ波受信部
２ｃ  受信判定部
２ｄ  受信強度判定部
２ｅ  判定部
２ｆ  警報器
３  ＧＰＳ受信部
３ａ  受信アンテナ
３ｂ  ＧＰＳ受信器
３ｃ  位置情報算出部
３ｄ  車速判定部
３ｅ  進行方向判定部
５  動作設定制御部
６  指示入力部
６ａ  設定指令スイッチ
６ｂ  条件入力スイッチ
６ｃ  領域情報入力スイッチ
６ｄ  キャセルスイッチ
７  処理部
７ａ  書込部
７ｂ  読出部
７ｃ  設定指令部
７ｄ  警報駆動指令部
８  メモリ
８ａ  設定条件記憶部
８ｂ  設定状態記憶部
８ｃ  地図情報記憶部
８ｄ  位置情報記憶部
９  制御部
１０  警報器
【図１】
2005070062.tif 000003
【図２】
2005070062.tif 000004
【図３】
2005070062.tif 000005
【図４】
2005070062.tif 000006
【図５】
2005070062.tif 000007
【図６】
2005070062.tif 000008
【図７】
2005070062.tif 000009
【図８】
2005070062.tif 000010